(57)【要約】      （修正有）【課題】ディスプレイの高さ及び傾きなどが使用者にとって使いやすいように調整することができ、使い勝手に優れた拡大読書器を提供する。【解決手段】左右方向及び前後方向に移動可能な可動テーブル１００と、表示対象物を撮像可能な撮像装置と、撮像装置で撮像された画像を表示するディスプレイ４００と、支柱機構部５００とを備える拡大読書器１０であって、支柱機構部５００は、屈曲部５１１及びアッパーフレーム部５１２を有する支柱フレーム部５１０と、アッパーフレーム部５１０に第１軸５３１を回転支点として上下方向に回転自在となるように軸支されている可動アーム５２１とを有し、ディスプレイ４００は、当該ディスプレイの高さをＨとしたとき、下端辺４００ｂからＨ／３よりも下端辺の側の位置において、第２軸を回転支点として前後方向に回転自在となるように可動アーム５２１に軸支されている。【選択図】図１
0003195020.tif 000002
【実用新案登録請求の範囲】
【請求項１】
ｘ軸及び当該ｘ軸に直交するｙ軸によって形成されるｘｙ平面上において前記ｘ軸に沿った左右方向と前記ｙ軸に沿った前後方向に移動可能な可動テーブルと、当該可動テーブルが載置されるベースフレームと、前記可動テーブル上に置かれた表示対象物を撮像可能な撮像装置と、当該撮像装置で撮像された画像を表示するディスプレイと、当該ディスプレイを支持する支柱機構部と、を備える拡大読書器であって、
前記支柱機構部は、
前記ベースフレームの前記前後方向における後方側端部に立設され、中途部に屈曲部を有するとともに当該屈曲部から前記前後方向における前方側にほぼ水平に延びたアッパーフレーム部を有する支柱フレーム部と、
前記アッパーフレーム部に対して上下方向に所定の回転角度で回転自在となるように、当該アッパーフレーム部の前方先端部に第１軸により軸支されている可動アームと、
を有し、
前記ディスプレイは、
当該ディスプレイの上下方向の高さをＨとしたとき、当該ディスプレイの背面における当該ディスプレイの下端辺からＨ／３よりも下端辺の側の位置において前記可動アームに対して前後方向に所定の回転角度で回転自在となるように、前記可動アームの前方側先端部に第２軸によって軸支されていることを特徴とする拡大読書器。
【請求項２】
請求項１に記載の拡大読書器において、
前記可動テーブルの前方側先端部には、当該拡大読書器の操作を行うための複数の操作部を有する操作パネルが設けられており、
前記複数の操作部のうち、前記操作パネルの上面に設けられている各操作部は、前記操作パネルの上面に凹部として設けられていることを特徴とする拡大読書器。
【請求項３】
請求項２に記載の拡大読書器において、
前記複数の操作部のうち、使用頻度の高い操作部は、前記操作パネルの前方側垂直端面に設けられていることを特徴とする拡大読書器。
【請求項４】
請求項２又は３に記載の拡大読書器において、
前記可動テーブルは、ｘ軸に沿って左右方向に往復移動動可能なＸテーブルと、ｙ軸に沿って前後方向に往復移動可能なＹテーブルとを有し、
前記Ｘテーブルには、当該Ｘテーブルの左右方向の往復移動に対する制動力を付与可能なＸテーブル制動機構が設けられており、
前記Ｙテーブルには、当該Ｙテーブルの前後方向の往復移動に対する制動力を付与可能なＹテーブル制動機構が設けられており、
前記Ｘテーブルの左右方向の往復移動に対する制動力の大きさは、前記操作パネルに設けられている前記複数の操作部のうち、前記Ｘテーブルの左右方向の往復移動に対する制動力の大きさを設定するための左右方向制動操作レバーを左右方向にスライド操作することによって調整され、
前記Ｙテーブルの前後方向の往復移動に対する制動力の大きさは、前記操作パネルに設けられている前記複数の操作部のうち、前記Ｙテーブルの前後方向の往復移動に対する制動力の大きさを設定するための前後方向制動操作レバーを前後方向にスライド操作することによって調整されることを特徴とする拡大読書器。
【請求項５】
請求項４に記載の拡大読書器において、
前記Ｘテーブル制動機構は、
前記左右方向制動操作レバーのスライド操作に連動して左右方向にスライドする左右方向スライドプレートと、
前記Ｘテーブルの左右方向の往復移動に直交する前後方向の押圧力を前記Ｘテーブルに与えるためのＸテーブル用ブレーキシューと、
当該Ｘテーブル用ブレーキシューが先端に取りつけられ、前記Ｘテーブルの左右方向の往復移動に直交する前後方向にスライド可能なＸテーブル用ブレーキシュー駆動プレートと、
前記左右方向スライドプレートと前記Ｘテーブル用ブレーキシュー駆動プレートとの間に介在され、前記左右方向スライドプレートが左右方向にスライドする動作を、前記Ｘテーブル用ブレーキシュー駆動プレートが前後方向にスライドする動作に変換するＸテーブル用ギヤ輪列と、
を有し、当該Ｘテーブル用ギヤ輪列には、ウオームギヤが介在されており、
Ｙテーブル制動機構は、
前記前後方向制動操作レバーのスライド操作に連動して前後方向にスライドする前後方向スライドプレートと、
前記Ｙテーブルの前後方向の往復移動に直交する左右方向の押圧力を前記Ｙテーブルに与えるためのＹテーブル用ブレーキシューと、
当該Ｙテーブル用ブレーキシューが先端に取りつけられ、前記Ｙテーブルの前後方向の往復移動に直交する左右方向にスライド可能なＹテーブル用ブレーキシュー駆動プレートと、
前記前後方向スライドプレートと前記Ｙテーブル用ブレーキシュー駆動プレートとの間に介在され、前記前後方向スライドプレートが前後方向にスライドする動作を、前記Ｙテーブル用ブレーキシュー駆動プレートが左右方向にスライドする動作に変換するＹテーブル用ギヤ輪列と、
を有し、当該Ｙテーブル用ギヤ輪列には、ウオームギヤが介在されていることを特徴とする拡大読書器。
【請求項６】
請求項５に記載の拡大読書器において、
前記Ｙテーブル制動機構には、前記前後方向制動操作レバーと、前記前後方向スライドプレートとの間に、前記前後方向制動操作レバーを前後方向に操作させたときの動力を前記前後方向スライドプレートに伝達するための動力伝達機構が存在し、当該動力伝達機構は、
前記前後方向制動操作レバーに連結されている第１伝達板と、
当該第１伝達板に連結され、前記前後方向制動操作レバーの前後方向の動きを前記前後方向スライドプレートに伝達する第２伝達板と、を有し、
前記第１伝達板は、前記Ｘテーブルとともに左右方向に移動し、前記前後方向制動操作レバーが前後方向に操作されると前後方向に移動し、
前記第２伝達板は、前記第１伝達板が左右方向に移動したときには当該第１伝達板の移動に対応する動力は伝達されずに動作せず、前記第１伝達板が前後方向に移動したときには当該第１伝達板の移動に対応する動力が伝達されて当該第１伝達板とともに前後方向に移動して、前記前後方向スライドプレートを前後方向に移動させることを特徴とする拡大読書器。
【請求項７】
請求項５又は６に記載の拡大読書器において、
前記Ｘテーブル制動機構が前記Ｘテーブルに対して制動力を付与しない制動力の大きさを制動力ゼロとし、前記Ｘテーブルの左右方向の移動を阻止することができる制動力の大きさを最大制動力としたとき、前記Ｘテーブル制動機構は、前記Ｘテーブルに対して、前記制動力ゼロから前記最大制動力までの間で制動力の大きさを連続的に変化させることができ、
前記Ｙテーブル制動機構が前記Ｙテーブルに対して制動力を付与しない制動力の大きさを制動力ゼロとし、前記Ｙテーブルの前後方向の移動を阻止することができる制動力の大きさを最大制動力としたとき、前記Ｙテーブル制動機構は、前記Ｙテーブルに対して、前記制動力ゼロから前記最大制動力までの間で制動力の大きさを連続的に変化させることができることを特徴とする拡大読書器。
【請求項８】
請求項１〜７のいずれかに記載の拡大読書器において、
前記撮像装置の前記可動プレート上における光軸の前記前後方向の位置は、前記ディスプレイを前記ｘｙ平面に対して垂直としたときの当該ディスプレイにおける前面側の下端辺から後方側に向かって１００ｍｍ〜１３０ｍｍの範囲の前記可動プレート上に設定されていることを特徴とする拡大読書器。
【考案の詳細な説明】
【技術分野】
【０００１】
本考案は、書物などをディスプレイに拡大表示することができる拡大読書器に関する。
【背景技術】
【０００２】
書物などをディスプレイに拡大表示することができる拡大読書器は従来から種々提案されている（例えば、特許文献１参照。）。
【０００３】
図１０は、特許文献１に記載されている拡大読書器９００を説明するために示す図である。特許文献１に記載されている拡大読書器９００（従来の拡大読書器９００ともいう。）９００は、図１０に示すように、ｘ軸及び当該ｘ軸に直交するｙ軸によって形成されるｘｙ平面上においてｘ軸に沿った方向（左右方向ともいう。）とｙ軸に沿った方向（前後方向ともいう。）に移動可能な可動テーブル９１０と、当該可動テーブル９１０が載置されるベースフレーム９２０と、可動テーブル９１０上に載せた書物など（図示せず。）を撮像可能なカメラ９３０と、当該カメラ９３０で撮像された画像を表示するディスプレイ９４０と、当該ディスプレイ９４０を支持する支柱機構部９５０とを備えている。
【０００４】
可動テーブル９１０は、ｙ軸に沿って敷設されたレール９１１をガイドとして前後方向に往復動可能なＹテーブル９１２と、当該Ｙテーブル９１２上にｘ軸に沿って敷設されたレール９１３をガイドとして左右方向に往復動可能なＸテーブル９１４とを有し、当該Ｘテーブル９１４上に書物などを載せる。
【０００５】
このような構成において、可動テーブル９１０を前後方向に移動させる際は、Ｙテーブル９１２をｙ軸に沿って移動させることにより、Ｘテーブル９１４もｙ軸に沿って移動し、可動テーブル９１０を左右方向に移動させる際は、Ｘテーブル９１４をＹテーブル９１２上で左右方向に移動させることにより、当該Ｘテーブル９１４が左右方向に移動する。これにより、可動テーブル９１０は、前後方向及び左右方向に移動可能となる。
【０００６】
このように構成されている可動テーブル９１０において、Ｙテーブル９１２には、当該Ｙテーブル９１２を前後方向に移動させる際に制動力を付与するＹテーブル制動機構（図示せず。）が設けられ、Ｘテーブル９１４にも、当該Ｘテーブル９１４を左右方向に移動させる際に制動力を付与するＸテーブル制動機構（図示せず。）が設けられている。Ｙテーブル制動機構は、Ｙテーブル９１２の右方側の端部に設けられているＹテーブル用制動摘み９１５を指で摘まんで回転させることにより制動力の大きさを設定きるようになっている。また、Ｘテーブル制動機構は、Ｘテーブル９１４の前方側の端部に設けられているＸテーブル用制動摘み９１６を指で摘んで回転させることにより制動力の大きさを設定することができるようになっている。
【０００７】
これにより、従来の拡大読書器９００においては、可動テーブル９１０は、Ｙテーブル用制動摘み９１５及びＸテーブル用制動摘み９１６をそれぞれ適宜回転させることによって、可動テーブル９１０を前後方向及び左右方向に移動させる際にそれぞれ制動力を付与する（ブレーキをかける）ことができる。これにより、適度な制動力を付与した状態で可動テーブル９１０を操作できるため、可動テーブル９１０のコントロールがし易くなり、行替えなどが容易に行なえる。
【０００８】
また、支柱機構部９５０は、ベースフレーム９２０の後方側端部に立設している支柱フレーム９５１と、支柱フレーム９５１の先端部から前方側水平方向に延出しているアッパーフレーム部９５２と、アッパーフレーム部９５２からさらに前方に延出している２つの可動アーム９５３とを有している。可動アーム９５３は、アッパーフレーム部９５２の先端軸受け部９５４に設けられている軸９５５により当該アッパーフレーム９５２に対して回転自在に軸支されている。そして、当該可動アーム９５３の前方側先端部には、ディスプレイ９４０が取り付けられている。
【０００９】
従来の拡大読書器９００においては、可動アーム９５３が、アッパーフレーム部９５２に対して軸９５５により回転自在に軸支されているため、ディスプレイ９４０は、図１０に示すような直立状態で前方側を向いた使用位置と、アッパーフレーム部９５２と可動テーブル９１０（Ｘテーブル９１４）との間に格納される格納位置との間で回転可能となっている。このため、従来の拡大読書器９００においては、ディスプレイ９４０をアッパーフレーム部９５２と可動テーブル９１０（Ｘテーブル９１４）との間に格納した状態とすることができる。
【先行技術文献】
【特許文献】
【００１０】
【特許文献１】特開２０１２−１０５１１１号公報
【考案の概要】
【考案が解決しようとする課題】
【００１１】
従来の拡大読書器９００においては、上記したように、可動テーブル９１０を前後方向及び左右方向に移動させる際にそれぞれ制動力を付与する（ブレーキをかける）ことができるとともに、ディスプレイ９４０をアッパーフレーム部９５２と可動テーブル９１０（Ｘテーブル９１４）との間に格納した状態とすることができるといった機構を有する反面、ディスプレイ９４０のｚ軸に沿った方向の高さを調整する高さ調整機構及びディスプレイ９４０の前後方向の傾きを調整する傾き調整機構については何ら言及されていない。このため、従来の拡大読書器９００においては、ディスプレイ９４０の高さ調整及び傾き調整については考慮されていないものと考えられる。
【００１２】
従って、従来の拡大読書器９００を、例えば、机上に置き、使用者が椅子に座って当該拡大読書器９００を使用する場合においては、使用者の顔の位置（ｚ軸方向に沿った位置）とディスプレイの位置（ｚ軸方向に沿った位置）とが使用者にとって最適な位置となるようにするためには、椅子の高さを調整して使用者の顔の位置をディスプレイ９４０の位置に合わせる必要がある。
【００１３】
また、ディスプレイを長時間見る際には、個人差はあるが、ディスプレイ９４０をやや斜め上方からやや見下ろすようにすることが好ましいとされている。このように、ディスプレイをやや斜め上方からやや見下ろすようにする場合には、ディスプレイの画面がやや斜め上方に向くように傾ける必要がある。
【００１４】
従来の拡大読書器９００においては、ディスプレイ９４０は、上記したように、軸９５５を回転軸として、直立状態で前方側を向いた使用位置と、アッパーフレーム部９５２と可動テーブル９１０（Ｘテーブル９１４）との間に格納される格納位置との間で回転可能となっているため、当該ディスプレイ９４０を斜め下方向に向くように傾けることは可能であるが、その反対側、すなわち、ディスプレイ９４０の画面がやや斜め上方に向くように傾けることはできないと考えられる。
【００１５】
仮に、ディスプレイ９４０が軸９５５を回転支点として上方向（矢印ａ方向）に回転可能であるとした場合、ディスプレイ９４０の画面がやや斜め上方を向くようにディスプレイ９４０を傾けることも可能となる。しかし、このときの回転支点は、図１０における軸９５５であり、当該軸９５５を中心に可動アーム９５３を回転半径として矢印ａ方向に回転するため、ディスプレイ９４０の高さが変わってしまうとともに、矢印ａ方向への回転に伴って、ディスプレイ９４０が後方側へ移動（使用者から離れる方向に移動）してしまうこととなる。
【００１６】
このように、従来の拡大読書器９００は、ディスプレイ９４０の高さ調整及び傾き調整がしにくいという課題がある。特に、身体障害者が車いすに座った状態で当該拡大読書器９００を使用したり、弱視の人が使用したりする場合においては、このような使用者にとって最適となるように高さ調整及び傾き調整する必要があるが、従来の拡大読書器９００では、ディスプレイの高さ調整及び傾き調整がしにくいという課題がある。
【００１７】
本考案は上記事情に鑑みてなされたものであり、ディスプレイの高さ及び傾きなどが使用者にとって使いやすいように調整することができ、使い勝手に優れた拡大読書器を提供することを目的とする。
【課題を解決するための手段】
【００１８】
［１］本考案の拡大読書器は、ｘ軸及び当該ｘ軸に直交するｙ軸によって形成されるｘｙ平面上において前記ｘ軸に沿った左右方向と前記ｙ軸に沿った前後方向に移動可能な可動テーブルと、当該可動テーブルが載置されるベースフレームと、前記可動テーブル上に置かれた表示対象物を撮像可能な撮像装置と、当該撮像装置で撮像された画像を表示するディスプレイと、当該ディスプレイを支持する支柱機構部と、を備える拡大読書器であって、前記支柱機構部は、前記ベースフレームの前記前後方向における後方側端部に立設され、中途部に屈曲部を有するとともに当該屈曲部から前記前後方向における前方側にほぼ水平に延びたアッパーフレーム部を有する支柱フレーム部と、前記アッパーフレーム部に対して上下方向に所定の回転角度で回転自在となるように、当該アッパーフレーム部の前方先端部に第１軸により軸支されている可動アームと、を有し、前記ディスプレイは、当該ディスプレイの上下方向の高さをＨとしたとき、当該ディスプレイの背面における当該ディスプレイの下端辺からＨ／３よりも下端辺の側の位置において前記可動アームに対して前後方向に所定の回転角度で回転自在となるように、前記可動アームの前方側先端部に第２軸によって軸支されていることを特徴とする。
【００１９】
本考案の拡大読書器においては、可動アームは、アッパーフレーム部に対して上下方向に所定の回転角度で回転自在となるように、アッパーフレームの前方先端部に第１軸により軸支され、また、ディスプレイは、可動アームに対して前後方向に所定の回転角度で回転自在となるように可動アームの前方側先端部に第２軸により軸支されている。このため、ディスプレイを上下方向に移動させたり、ディスプレイを前後方向に所定角度だけ回転させたりすることができる。これにより、本考案の拡大読書器によれば、ディスプレイの高さ及び傾きなどが使用者にとって使いやすいように調整することができ、使い勝手に優れたものとなる。また、ディスプレイの傾き調整を行った後においても、傾き調整した状態のままでさらに高さ調整を行うことが可能であるとともに、ディスプレイの高さ調整を行った後においても、高さ調整した状態のままでさらに傾き調整を行うことが可能である。
【００２０】
また、ディスプレイが可動アームに軸支されている位置は、当該ディスプレイの下端辺からＨ／３よりも下端辺の側の位置としている。このように、ディスプレイは、ディスプレイの下端辺に近い位置で可動アームに軸支されているため、ディスプレイを、第２軸を回転支点として、ディスプレイの画面がやや斜め上方に向くように傾けた際（ディスプレイの上端辺を後方側に傾けた際）に、ディスプレイの下端辺が前方側に出っ張る量を可能な限り少なくすることができる。これにより、使用者が例えば可動テーブル上に用紙を載せて筆記を行う場合などにおいて、ディスプレイの存在が筆記の邪魔になることがなく、また、ディスプレイの下端辺が前方（使用者側）に迫り出すことによる圧迫感を使用者に与えることがなくなる。
【００２１】
また、ディスプレイの上端辺を前方側に傾けた際には、ディスプレイの下端辺が後方側（可動テーブル側）に入り込む量を可能な限り少なくすることができる。これにより、ディスプレイが撮像装置の撮像範囲に入ってしまうという不具合を生じにくくすることができ。
【００２２】
［２］本考案の拡大読書器においては、前記可動テーブルの前方側先端部には、当該拡大読書器の操作を行うための複数の操作部を有する操作パネルが設けられており、前記複数の操作部のうち、前記操作パネルの上面に設けられている各操作部は、前記操作パネルの上面に凹部として設けられていることが好ましい。
【００２３】
このように、操作パネルは可動テーブルの前方側先端部に設けられているため、操作パネルは可動パネルとともに移動する。このため、可動テーブルを移動させながら操作パネルの各操作部を操作することができ、操作性に優れたものとなる。例えば、可動テーブル上に表示対象物（例えば書物とする。）を置いたときは、使用者は手で書物を抑えた状態として当該書物を読むことが一般的である。この状態で、可動テーブルを移動させる場合には、使用者は手で書物を抑えながら可動テーブルを移動させることとなる。このような場合、使用者の手も可動テーブルとともに移動することとなるが、本考案の拡大読書器においては、操作パネルは可動テーブルの前方側先端部に設けられており、操作パネルは可動パネルとともに移動するため、可動テーブルを移動させながら操作パネルの各操作部を操作することも可能となり、操作性に優れたものとなる。
【００２４】
ちなみに、上記従来の拡大読書器９００においては、操作パネル９６０は、Ｙテーブル９１２の前方側端部に設けられている。このような構成であるため、Ｘテーブル９１４が左右方向に移動したときには、操作パネル９６０は追従しない。このため、手で書物を抑えた状態として可動テーブル（Ｘテーブル９１４）を左右方向に移動させながら操作パネルの各操作部を操作する場合には、書物を抑えている手を、その都度、書物から離して操作部を操作する必要があり、操作性が悪いものとなる。
【００２５】
また、各操作部が操作パネルの上面に凹部として設けられていることにより、可動テーブルと操作パネルの上面とが出っ張りのない平面で連続的に繋げることができる。これにより、操作パネルまでを覆うような大きなサイズを有する表示対象物（例えば、新聞紙など）を可動テーブル上に置いた状態でも、当該表示対象物が操作パネル上の各操作部に直接的に接触することなく、表示対象物と各操作部との間に隙間が形成される。このため、誤操作を無くし、各操作部を操作し易くすることができる。
【００２６】
また、このような大きなサイズを有する表示対象物を可動テーブル上に置いたときに、操作部によって表示対象物を下から押し上げてしまうことがないため、でディスプレイ上で表示される画像に歪みが生じたりすることなくなる。また、可動テーブル上で用紙に文字などを筆記する場合に、手を差し入れた状態としたときに、操作部に触れないため、筆記がし易くなる。
【００２７】
［３］本考案の拡大読書器においては、前記複数の操作部のうち、使用頻度の高い操作部は、前記操作パネルの前方側垂直端面に設けられていることが好ましい。
【００２８】
このように、使用頻度の高い各操作部を操作パネルの前方側垂直端面に設けることにより、操作パネルからさらに前方側にはみ出るような大きなサイズを有する表示対象物（例えば、新聞紙など）を可動テーブル上に置いた状態でも、当該表示対象物が上記した使用頻度の高い各操作部に触れることがない。このため、使用頻度の高い各操作部を操作し易くすることができる。
【００２９】
［４］本考案の拡大読書器においては、前記可動テーブルは、ｘ軸に沿って左右方向に往復移動動可能なＸテーブルと、ｙ軸に沿って前後方向に往復移動可能なＹテーブルとを有し、前記Ｘテーブルには、当該Ｘテーブルの左右方向の往復移動に対する制動力を付与可能なＸテーブル制動機構が設けられており、前記Ｙテーブルには、当該Ｙテーブルの前後方向の往復移動に対する制動力を付与可能なＹテーブル制動機構が設けられており、前記Ｘテーブルの左右方向の往復移動に対する制動力の大きさは、前記操作パネルに設けられている前記複数の操作部のうち、前記Ｘテーブルの左右方向の往復移動に対する制動力の大きさを設定するための左右方向制動操作レバーを左右方向にスライド操作することによって調整され、前記Ｙテーブルの前後方向の往復移動に対する制動力の大きさは、前記操作パネルに設けられている前記複数の操作部のうち、前記Ｙテーブルの前後方向の往復移動に対する制動力の大きさを設定するための前後方向制動操作レバーを前後方向にスライド操作することによって調整されることが好ましい。
【００３０】
このように、ＸテーブルにはＸテーブル制動機構が設けられ、ＹテーブルにはＹテーブル制動機構が設けられているため、Ｘテーブル及びＹテーブルそれぞれに所定の制動力を付与した状態でＸテーブル及びＹテーブルを左右方向及び前後方向に移動させることができる。これにより、可動テーブルを左右方向及び前後方向に移動させる際に、可動テーブルのコントロールがし易くなり、行替えなどが容易に行える。
【００３１】
また、左右方向及び前後方向の移動に対する制動力の大きさは、左右方向制動操作レバー及び前後方向制動操作レバーをそれぞれスライド操作することによって調整される。これにより、摘みを指で摘んで回転させるものに比べて操作がし易いとともに、各操作レバーの位置により操作レバーの操作量がわかり易いため、制動力の付与加減が直観的にわかり制動力の調整がし易いものとなる。
【００３２】
［５］本考案の拡大読書器においては、前記Ｘテーブル制動機構は、前記左右方向制動操作レバーのスライド操作に連動して左右方向にスライドする左右方向スライドプレートと、前記Ｘテーブルの左右方向の往復移動に直交する前後方向の押圧力を前記Ｘテーブルに与えるためのＸテーブル用ブレーキシューと、当該Ｘテーブル用ブレーキシューが先端に取りつけられ、前記Ｘテーブルの左右方向の往復移動に直交する前後方向にスライド可能なＸテーブル用ブレーキシュー駆動プレートと、前記左右方向スライドプレートと前記Ｘテーブル用ブレーキシュー駆動プレートとの間に介在され、前記左右方向スライドプレートが左右方向にスライドする動作を、前記Ｘテーブル用ブレーキシュー駆動プレートが前後方向にスライドする動作に変換するＸテーブル用ギヤ輪列と、を有し、当該Ｘテーブル用ギヤ輪列には、ウオームギヤが介在されており、Ｙテーブル制動機構は、前記前後方向制動操作レバーのスライド操作に連動して前後方向にスライドする前後方向スライドプレートと、前記Ｙテーブルの前後方向の往復移動に直交する左右方向の押圧力を前記Ｙテーブルに与えるためのＹテーブル用ブレーキシューと、当該Ｙテーブル用ブレーキシューが先端に取りつけられ、前記Ｙテーブルの前後方向の往復移動に直交する左右方向にスライド可能なＹテーブル用ブレーキシュー駆動プレートと、前記前後方向スライドプレートと前記Ｙテーブル用ブレーキシュー駆動プレートとの間に介在され、前記前後方向スライドプレートが前後方向にスライドする動作を、前記Ｙテーブル用ブレーキシュー駆動プレートが左右方向にスライドする動作に変換するＹテーブル用ギヤ輪列と、を有し、当該Ｙテーブル用ギヤ輪列には、ウオームギヤが介在されていることが好ましい。
【００３３】
このように、ギヤ輪列にはウオームギヤが介在されているため、ブレーキシューの押圧力に対する反発力が加わって、当該ブレーキシューが押圧力を解除しようとする方向に戻ろうとしても、ウオームギヤの存在によりギヤ輪列が逆転しない。このため、左右方向制御操作レバー及び前後方向制御操作レバーにより付与した制動力が保持された状態で可動テーブルをスライドさせることができる。
【００３４】
［６］本考案の拡大読書器においては、前記Ｙテーブル制動機構には、前記前後方向制動操作レバーと、前記前後方向スライドプレートとの間に、前記前後方向制動操作レバーを前後方向に操作させたときの動力を前記前後方向スライドプレートに伝達するための動力伝達機構が存在し、当該動力伝達機構は、前記前後方向制動操作レバーに連結されている第１伝達板と、当該第１伝達板に連結され、前記前後方向制動操作レバーの前後方向の動きを前記前後方向スライドプレートに伝達する第２伝達板と、を有し、前記第１伝達板は、前記Ｘテーブルとともに左右方向に移動し、前記前後方向制動操作レバーが前後方向に操作されると前後方向に移動し、前記第２伝達板は、前記第１伝達板が左右方向に移動したときには当該第１伝達板の移動に対応する動力は伝達されずに、前記第１伝達板が前後方向に移動したときには当該第１伝達板の移動に対応する動力が伝達されて当該第１伝達板とともに前後方向に移動して、前記前後方向スライドプレートを前後方向に移動させることが好ましい。
【００３５】
このような構成とすることにより、操作パネルが可動テーブルを構成するＸテーブル及びＹテーブルのうちのＸテーブルとともに移動するような構成となっていも、前後方向制動操作レバーを前後方向にスライド操作したときの動力を前後方向スライドプレートに伝達することができ、それによって、Ｙテーブル用ギヤ輪列を動作させることができる。
【００３６】
［７］本考案の拡大読書器においては、前記Ｘテーブル制動機構が前記Ｘテーブルに対して制動力を付与しない制動力の大きさを制動力ゼロとし、前記Ｘテーブルの左右方向の移動を阻止することができる制動力の大きさを最大制動力としたとき、前記Ｘテーブル制動機構は、前記Ｘテーブルに対して、前記制動力ゼロから前記最大制動力までの間で制動力の大きさを連続的に変化させることができ、前記Ｙテーブル制動機構が前記Ｙテーブルに対して制動力を付与しない制動力の大きさを制動力ゼロとし、前記Ｙテーブルの前後方向の移動を阻止することができる制動力の大きさを最大制動力としたとき、前記Ｙテーブル制動機構は、前記Ｙテーブルに対して、前記制動力ゼロから前記最大制動力までの間で制動力の大きさを連続的に変化させることができることが好ましい。
【００３７】
このように、制動力の大きさを制動力ゼロから最大制動力までの間で連続的に変化させることができるため、制動力の微調整も可能となり、任意の制動力を付与した状態で可動テーブルをスライドさせることができる。これにより、可動テーブルのコントロールがし易くなり、位置決めも正確に行うことができる。
【００３８】
［８］本考案の拡大読書器においては、前記撮像装置の前記可動プレート上における光軸の前記前後方向の位置は、前記ディスプレイを前記ｘｙ平面に対して垂直としたときの当該ディスプレイにおける前面側の下端辺から後方側に向かって１００ｍｍ〜１３０ｍｍの範囲の前記可動プレート上に設定されていることが好ましい。
【００３９】
撮像装置の光軸の位置を上記したように設定することで、例えば、本考案の拡大読書器を使用して用紙などに文字を筆記するような場合、筆記具を持つ手をディスプレイの後方側の奥にまで差し入れることなく、使用者の身体に近い位置で筆記することができる。このため、当該拡大読書器を使用して用紙などに文字を筆記する場合、使用者は、腕を伸ばした無理な姿勢をとることなく、机上でノートなどに筆記する場合と同様の自然な姿勢で筆記することができる。
【００４０】
なお、撮像装置の光軸の位置を上記したように設定することで、例えば、ディスプレイの上端辺を後方側に３０度程度傾けた場合でも、撮像装置の可動プレート上における光軸の位置は、ディスプレイの前面側の下端辺から後方側に１６０ｍｍ以内とすることができる。このため、ディスプレイを後方側に３０度程度傾けた場合であっても、筆記具を持つ手をディスプレイの後方側の奥にまで差し入れる必要がなくなり、使用者は、腕を伸ばした無理な姿勢をとることなく、机上でノートなどに筆記する場合と同様の自然な姿勢で筆記することができる。
【図面の簡単な説明】
【００４１】
【図１】実施形態１に係る拡大読書器１０の外観を示す斜視図である。
【図２】実施形態１に係る拡大読書器１０の外観を示す側面図である。
【図３】実施形態１に係る拡大読書器１０の外観を示す平面図である。
【図４】背面パネル７００を説明するために示す図である。
【図５】操作パネル６００を説明するために示す図である。
【図６】Ｘテーブル制動機構８００を説明するために示す図である。
【図７】実施形態に係る拡大読書器１０の使用方法について説明するために示す図である。
【図８】ディスプレイが使用者の目線がやや斜め下方となるように傾きを調整した場合を示す図である。
【図９】実施形態１に係る拡大読書器１０を使用して用紙に文書などを筆記する場合を説明するために示す図である。
【図１０】特許文献１に記載されている拡大読書器９００を説明するために示す図である。
【考案を実施するための形態】
【００４２】
以下、本考案の実施形態について説明する。
【００４３】
図１は、実施形態に係る拡大読書器１０の外観を示す斜視図であり、図２は、実施形態に係る拡大読書器１０の外観を示す側面図であり、図３は、実施形態に係る拡大読書器１０の外観を示す平面図である。これら図１〜図３を参照して実施形態に係る拡大読書器１０の外観の構成について説明する。なお、実施形態に係る拡大読書器１０は、書物などを読む（読書ともいう。）を行う場合に使用するだけでなく、用紙などに文字などを筆記する場合にも使用できるものであるため、この明細書においては、読書対象となる書物や筆記対象となる用紙など、当該拡大読書器１０において拡大表示対象となるものを総称して「表示対象物」と呼ぶこととする。
【００４４】
実施形態１に係る拡大読書器１０は、図１〜図３に示すように、ｘ軸及び当該ｘ軸に直交するｙ軸によって形成されるｘｙ平面上においてｘ軸に沿った左右方向とｙ軸に沿った前後方向に移動可能な可動テーブル１００と、当該可動テーブル１００が載置されるベースフレーム２００と、可動テーブル１００上に載せた表示対象物（図示せず。）を撮像可能な撮像装置としてのカメラ３００（図２参照。）と、当該カメラ３００で撮像された画像を表示するディスプレイ４００と、当該ディスプレイ４００を支持する支柱機構部５００と、可動テーブル１００の前方側端部に設けられている操作パネル６００と、支柱機構部５００の背面側に設けられている背面パネル７００（図５参照。）とを備えている。
【００４５】
可動テーブル１００は、従来の拡大読書器９００の可動テーブル９１０と同様の構成が採用されているものとする。このため、可動テーブル１００は前後方向及び左右方向に移動可能となっている。すなわち、可動テーブル１００は、前後方向に往復動可能なＹテーブル（図示せず。）と、当該Ｙテーブル上に載置されて左右方向に往復動可能なＸテーブル１２０とを有する。そして、可動テーブル１００を前後方向に移動させる際は、Ｙテーブルを前後方向に移動させ、可動テーブル１００を左右方向に移動させる際は、Ｘテーブル１２０をＹテーブル上でＸ軸に沿った方向に移動させることにより、可動テーブル１００を前後方向及び左右方向に移動させることができる。
なお、可動テーブル１００は、当該可動テーブル１００を左右方向及び前後方向にそれぞれ移動させない初期の位置（図１〜図３に示す位置）を「可動テーブル１００の初期位置」とする。
【００４６】
また、このように構成されている可動テーブル１００においても、可動テーブル１００を前後方向及び左右方向に移動させる際に制動力を付与することができる可動テーブル制動機構を有している。この可動テーブル制動機構部については後述する。
【００４７】
支柱機構部５００は、ベースフレーム２００の後方側端部に立設され、中途部に屈曲部５１１を有するとともに当該屈曲部５１１から前方側にほぼ水平に延びたアッパーフレーム部５１２を有する支柱フレーム部５１０と、アッパーフレーム部５１２に対して上下方向（矢印ａ−ａ’方向）に所定の回転角度で回転自在となるように、当該アッパーフレーム部５１２の前方先端部に第１軸５３１により軸支されている可動アーム５２１，５２２とを有している。
【００４８】
そして、可動アーム５２１，５２２の前方側先端部には、ディスプレイ４００が取り付けられている。具体的には、ディスプレイ４００は、可動アーム５２１，５２２に対して前後方向（矢印ｂ−ｂ’方向）に所定の回転角度で回転自在となるように、可動アーム５２１，５２２の前方側先端部に第２軸５３２によって軸支されている。なお、可動アーム５２１，５２２は、アッパーフレーム部５１２を左右両側から挟み込むようにアッパーフレーム部５１２の先端部に設けられている。
【００４９】
また、アッパーフレーム部５１２の前方側先端部には、機器収納ボックス５４０が取り付けられている。機器収納ボックス５４０は、可動アーム５２１，５２２の動きを阻害しないようにアッパーフレーム部５１２に取り付けられている。そして、機器収納ボックス５４０の内部には、光軸ＣがＹ軸に沿った方向となるようにカメラ３００が収納されているとともに、カメラ３００の光軸Ｃを可動テーブル１００に対して垂直となるように屈曲させるミラー５５０が収納されている。
【００５０】
また、機器収納ボックス５４０は、アッパーフレーム部５１２の左右両端部からそれぞれ突出する左右それぞれの突出部５４１，５４２を有しており、当該左右それぞれの突出部５４１，５４２には、ＬＥＤなどの照明用電灯（図示せず。）がそれぞれ収納されている。また、機器収納ボックス５４０の左右それぞれの突出部５４１，５４２の外壁面には、照明用電灯を点灯／消灯させるための照明スイッチ５６１，５６２が左右それぞれの照明用電灯に対応して設けられている。このため、左右両側に設けられている照明用電灯は、それぞれに対応する照明スイッチ５６１，５６２によって独立して点灯／消灯可能となっている。
【００５１】
ところで、機器収納ボックス５４０の内部に設けられているカメラ３００の光軸Ｃは固定となっている。すなわち、可動テーブル１００が初期位置となっているときにおける可動テーブル１００上の光軸Ｃの位置を考えた場合、可動テーブル１００の初期位置における左右方向の光軸Ｃの位置Ｐｘ（図２参照。）は、可動テーブル１００の左右方向の長さをＬｘとしたとき、当該左右方向の長さＬｘの中間位置（Ｌｘ／２の位置）となるように設定されている。
【００５２】
また、可動テーブル１００の初期位置における前後方向の光軸Ｃの位置Ｐｙ（図２参照。）は、ディスプレイ４００をｘｙ平面に対して垂直としたときの当該ディスプレイ４００における前面側の下端辺から後方側に向かってＤｙ（Ｄｙ＝１００ｍｍ〜１３０ｍｍの範囲）の位置に設定されていることが好ましい。可動テーブル１００上の初期位置におけるカメラ３００の光軸Ｃの位置をこのように設定することで、例えば、ディスプレイ４００の上端辺を後方側に３０度程度傾けた場合でも、カメラ３００の可動プレート上における光軸の位置は、ディスプレイ４００の前面側の下端辺から後方側に１６０ｍｍ以内とすることができる。
【００５３】
これにより、例えば、当該拡大読書器１０を使用して用紙などに文字を筆記するような場合、筆記具を持つ手をディスプレイ４００の後方側の奥にまでに差し入れることなく、使用者の身体に近い位置で筆記することができる。このため、当該拡大読書器１０を使用して用紙などに文字を筆記する場合であっても、使用者は、腕を伸ばした無理な姿勢をとることなく、机上でノートなどに筆記する場合と同様の自然な姿勢で筆記することができる。
【００５４】
ところで、上記したように、ディスプレイ４００は、可動アーム５２１，５２２に対して前後方向に所定の回転角度で回転自在となるように、可動アーム５２１，５２２の前方側先端部に第２軸５３２によって軸支されている。
【００５５】
具体的には、ディスプレイ４００の背面には、当該ディスプレイ４００の背面から突出するように２枚の軸受け片４１１，４１２が固定されており、当該軸受け片４１１，４１２は、可動アーム５２１，５２２のそれぞれの前方側端部に対して第２軸５３２により軸支されている。これにより、ディスプレイ４００は、可動アーム５２１，５２２に対して第２軸５３２を回転支点として前後方向（矢印ｂ−ｂ’方向）に所定の回転角度で回転自在となる。なお、軸受け片４１１，４１２、第２軸５３２及び可動アーム５２１，５２２の前方側先端部などはカバー４２０に覆われている。
【００５６】
ディスプレイ４００の背面に固定されている２枚の軸受け片４１１，４１２は、ディスプレイ４００の背面において、ディスプレイ４００の上下方向高さをＨとしたとき、当該ディスプレイ４００の下端辺からＨ／３よりも下端辺４００ｂの側に固定されている。これにより、ディスプレイ４００は、当該ディスプレイ４００の下端辺からＨ／３よりも下端辺の側の位置（実施形態に係る拡大読書器１０においてはディスプレイ４００の下端辺４００ｂからＨ／４程度の位置とする。）において、可動アーム５２１，５２２に対して第２軸５３２を回転支点として前後方向（矢印ｂ−ｂ’方向）に所定の回転角度で回転自在となる。
【００５７】
ディスプレイ４００が上記したように可動アーム５２１，５２２に対して軸支され、かつ、可動アーム５２１，５２２が上記したようにアッパーフレーム部５１２に対して軸支されていることにより、ディスプレイ４００をｚ軸に沿って上下動させたり、ディスプレイ４００の上端辺４００ａを、第２軸５３２を回転支点として前後方向（矢印ｂ−ｂ’方向）に所定角度だけ傾けたりすることができる。
【００５８】
なお、ディスプレイ４００の上端辺４００ａを、第２軸５３２を回転支点として後方側（矢印ｂ方向側）に所定角度だけ回転させてディスプレイ４００を所定角度だけ傾けることを、以下では、「ディスプレイ４００を後方側に傾ける」と表記し、ディスプレイ４００の上端辺４００ａを、第２軸５３２を回転支点として前方側（矢印ｂ’方向側）に所定角度だけ回転させてディスプレイ４００を所定角度だけ傾けることを、以下では、「ディスプレイ４００を前方側に傾ける」と表記する。
【００５９】
また、可動アーム５２１，５２２の第１軸５３１を回転支点とした矢印ａ−ａ’方向への回転角度は、第１軸５３１を通る水平面を基準として上下方向にそれぞれ３０度程度の範囲に設定されている。このため、ディスプレイ４００のｚ軸に沿った上下動は、可動アーム５２１，５２２の上下方向への回転角度の範囲で可能となる。なお、ディスプレイ４００を下方側に最も下げるように移動させた場合であっても、ディスプレイ４００の下端辺４００ｂと可動テーブル１００との間の間隔は、使用者の手の出し入れに支障のない程度の間隔となるように設定されている。
【００６０】
また、ディスプレイ４００を例えば水平面（ｘｙ平面）に対して直立のまま、ｚ軸に沿って上下動させた場合においては、可動アーム５２１，５２２の回転角度が第１軸５３１を通る平面に対して０度の場合と、上下にそれぞれ３０度回転させた場合とにおけるディスプレイ４００の前後方向の位置の変化ができるだけ小さくなるように設定されている。  
【００６１】
また、ディスプレイ４００を後方側又は前方側に傾ける際には、ディスプレイ４００の高さ調整を行った状態で、高さを変えずにディスプレイ４００を後方側又前方側に傾けることができる。このようにディスプレイ４００を後方側又は前方側に傾ける際のそれぞれ傾き角度は、第２軸５３２を通る垂直面を基準として矢印ｂ−ｂ’方向に所定範囲の角度に設定されている。具体的には、ディスプレイ４００の傾き角度は、後方（矢印ｂ方向）側には例えば３０度程度に設定され、前方（矢印ｂ’方向）には例えば５度程度に設定されている。なお、ディスプレイ４００を後方側又は前方側に傾けた状態で、さらに高さの調整を行うことは勿論可能である。
【００６２】
なお、使用者が設定したディスプレイ４００の高さは、ディスプレイ４００に所定以上の力を与えない限り、使用者が設定したディスプレイ４００の高さを保持することできるような機構が採用されている。また、使用者が設定したディスプレイ４００の傾き（後方側又は前方側への傾き）も、ディスプレイ４００に所定以上の力を与えない限り、使用者が設定したディスプレイ４００の傾きを保持することできるような機構が採用されている。
【００６３】
このように、ディスプレイ４００に所定以上の力を与えない限り、使用者が設定したディスプレイ４００の高さ及び傾きに保持することできるような機構は、公知の技術を採用することによって実現可能であるため、ここでは、その機構については説明を省略する。
【００６４】
また、ディスプレイ４００は、上記したように、当該ディスプレイ４００の下端辺からＨ／４程度の位置において、可動アーム５２１，５２２に対して第２軸５３２により前後方向（矢印ｂ−ｂ’方向）に所定の回転角度で回転自在となっている。このように、ディスプレイ４００は、当該ディスプレイ４００の下端辺４００ｂに近い位置で可動アーム５２１．５２２に回転自在となっているため、ディスプレイ４００を、第２軸５３２を回転支点として、例えば、後方側に傾けた際に、ディスプレイ４００の下端辺４００ｂが前方側に迫り出す量を可能な限り少なくすることができる。
【００６５】
すなわち、ディスプレイ４００を後方側に傾けると、ディスプレイ４００の下端辺４００ｂは前方側（使用者の側）に迫り出すこととなるが、ディスプレイ４００の回転支点が、下端辺４００ｂからＨ／４程度の位置としているため、ディスプレイ４００の下端辺４００ｂが前方側（使用者側）に迫り出す「前方側迫り出し量」を少なくすることができる。これにより、使用者が例えば可動テーブル１００上に用紙を載せて筆記を行う場合などにおいて、ディスプレイ４００の存在が筆記の邪魔になることがなく、また、ディスプレイ４００の下端辺４００ｂが前方（使用者側）に迫り出すことによる圧迫感を使用者に与えることがなくなる。
【００６６】
また、ディスプレイ４００を、第２軸５３２を回転支点として、例えば、前方側に傾けた際には、ディスプレイ４００の下端辺４００ｂが後方側（可動テーブル１００側）に迫り出す「後方側迫り出し量」を可能な限り少なくすることができる。すなわち、ディスプレイ４００を前方側に傾けると、ディスプレイ４００の下端辺４００ｂは後方側（可動テーブル１００側）に迫り出すこととなるが、ディスプレイ４００の回転支点が、下端辺４００ｂからＨ／４程度の位置であるため、ディスプレイ４００の下端辺４００ｂの後方側迫り出し量を少なくすることができる。これにより、ディスプレイ４００がカメラ３００の撮像範囲に入ってしまうという不具合を生じにくくすることができる。
【００６７】
次に、可動テーブル１００の前方側に設けられている操作パネル６００について説明する。
図４は、操作パネル６００を説明するために示す図である。図４（ａ）は操作パネル６００をｚ軸に沿って上から見た場合の平面図であり、図４（ｂ）は操作パネル６００をｙ軸に沿って前方側から見た場合の前方側垂直端面を示す図である。以下、図４に加え図１を参照して操作パネル６００について説明する。
【００６８】
操作パネル６００は、可動テーブル１００（Ｘテーブル１２０）の前方側先端部に設けられている。このため、可動テーブル１００をｘ軸に沿った方向及びｙ軸に沿った方向に移動させることにより、操作パネル６００も可動テーブル１００とともにｘ軸に沿った方向及びｙ軸に沿った方向に移動する。
【００６９】
また、当該操作パネル６００の上面６００ａは前当該操作パネル６００も方側に向かってやや下り坂となるような緩やかな傾斜面となっている。そして、図１及び図４に示すように、当該上面６００ａには、拡大読書器１０を起動／終了するための電源ボタン６１０と、各種の機能設定などを行う機能設定ボタン６２０，６３０と、可動テーブル１００を左右方向又は前後方向にスライドさせるための可動テーブル操作部６４０Ｌ，６４０Ｒなどが設けられている。
【００７０】
機能設定ボタン６２０，６３０は、詳細な説明は省略するが、中央部に位置する押しボタン６２１、６３１と、当該押しボタン６２１，６３１を囲むように設けられている回転ボタン６２２，６３２とを有し、押しボタン６２１，６３１は、例えば、機能の切り替えを行い、回転ボタン６２２，６３２は、押しボタン６２１，６３１によって切り替えられた機能において各種の設定を行うものである。
【００７１】
また、これら電源ボタン６１０、機能設定ボタン６２０，６３０及び可動テーブル操作部６４０Ｌ，６４０Ｒは、操作パネル６００の上面６００ａに凹部として設けられている。なお、電源ボタン６１０、機能設定ボタン６２０，６３０及び可動テーブル操作部６４０Ｌ，６４０Ｒを一括的に説明する場合には、これら電源ボタン６１０、機能設定ボタン６２０，６３０及び可動テーブル操作部６４０Ｌ，６４０Ｒを総称して「各操作部」と表記する。
【００７２】
このように、各操作部が操作パネル６００の上面６００ａに凹部として設けられていることにより、操作パネル６００の上面６００ａには出っ張りがなく、可動テーブル１００と操作パネル６００の上面６００ａとが出っ張りのない平面で連続的に滑らかに繋がることとなる。これにより、操作パネル６００までを覆うような大きなサイズを有する表示対象物（例えば、新聞紙など）を可動テーブル１００上に置いた状態でも、当該表示対象物が操作パネル６００上の各操作部に直接的に接触することなく、表示対象物と各操作部との間に隙間が形成される。このため、各操作部を操作し易くすることができる。
【００７３】
また、このような大きなサイズを有する表示対象物を可動テーブル１００上に置いたときに、ディスプレイ４００上で表示される画像に歪みが生じたりすることなくなる。すなわち、各操作部が操作パネル６００の上面６００ａから出っ張りを有して設けられていると、大きなサイズの表示対象物が各操作部によって部分的に持ち上げられて、カメラ３００の撮像範囲内で表示対象物の平面度が損なわれてしまい、ディスプレイ４００上で表示される画像に歪みが生じたりする場合があるが、可動テーブル１００と操作パネル６００の上面６００ａとが出っ張りのない平面で連続的に滑らかに繋がることにより、ディスプレイ４００上で表示される画像に歪みが生じたりすることを防ぐことができる。
【００７４】
また、各操作部が操作パネル６００の上面から出っ張ることなく凹部として設けられていることにより、可動テーブル１００上で用紙に文字などを筆記する場合に、手を差し入れた状態としたときに、筆記がし易くなる。すなわち、各操作部が操作パネル６００の上面６００ａから出っ張りを有して設けられていると、各操作部の出っ張りが腕に触れて腕を圧迫することとなるため、使用者が不快感を抱くこととなるが、可動テーブル１００と操作パネル６００の上面６００ａとが出っ張りのない平面で連続的に滑らかに繋がることにより、各操作部が腕に触れて腕を圧迫するということがなく、筆記がし易くなる。
【００７５】
また、操作パネル６００の前方側垂直端面（図４（ｂ）参照。）には、使用頻度の高い操作部が設けられている。使用頻度の高い操作部としては、例えば、カメラ３００の拡大倍率を変更する倍率設定用スライドレバー６５０、カメラ３００のフォーカスのロックを行うとともに、フォーカスロックを解除してオートフォーカスに設定するフォーカスロック／解除ボタン６６０、ディスプレイ４００の画面の明るさを調整する明るさ調整ボタン６７０、可動テーブル１００を左右方向に移動させる際に制動力の付与を可能とする左右方向制動操作レバー６８０などが設けられている。また、操作パネル６００の前方側垂直端面の左側面に位置する垂直端面には、可動テーブル１００を前後方向に移動させる際に制動力の付与を可能とする前後方向制動操作レバー６９０が挙げられる。
【００７６】
このように、使用頻度の高い各操作部を操作パネル６００の前方側垂直端面に設けることにより、操作パネル６００からさらに前方側にはみ出るような大きなサイズを有する表示対象物（例えば、新聞紙など）を可動テーブル１００上に置いた状態でも、当該表示対象物が上記した使用頻度の高い各操作部に触れることがない。このため、使用頻度の高い各操作部の操作がし易くなる。
【００７７】
続いて、支柱フレーム部５１０の背面側に設けられている背面パネル７００について説明する。
【００７８】
図５は、背面パネル７００を説明するために示す図である。背面パネル７００は、図５に示すように、ＡＣ１００ボルト電源の供給／遮断を行う主電源スイッチ７１０、ＡＣ１００ボルト用電源ケーブルが接続される電源ケーブルインレット７２０、当該拡大読書器１０の回路保護用のヒューズを収納するヒューズ収納部７３０、パーソナルコンピューターなどの外部情報機器からの画像データを入力するための画像入力用コネクタ７４０、カメラ３００で撮像した画像を外部の大型ディスプレイなどに表示させる際に画像データを出力する画像出力用コネクタ７５０、音声のオン／オフを切り替える音声オン／オフスイッチ７６０、ディスプレイ４００で表示される画像のコントラストを「ＨＩＧＨ（高コントラスト）」／「ＬＯＷ（低コントラスト）」に切り替えるコントラスト調整スイッチ７７０が設けられている。
【００７９】
次に、可動テーブル１００を左右方向及び前後方向に移動させる際に可動テーブルに制動力を付与する可動テーブル制動機構について説明する。なお、可動テーブル制動機構は、Ｘテーブル１２０を左右方向に移動させる際に当該Ｘテーブル１２０に制動力を付与する「Ｘテーブル制動機構」と、Ｙテーブルを前後方向に移動させる際に当該Ｙテーブルに制動力を付与する「Ｙテーブル制動機構」とを有している。これらＸテーブル制動機構及びＹテーブル制動機構は、基本的には、同様の構造であるため、ここでは、Ｘテーブル制動機構について説明する。
【００８０】
図６は、Ｘテーブル制動機構８００を説明するために示す図である。Ｘテーブル制動機構８００は、図６に示すように、使用者が左右方向制動操作レバー６８０をスライド操作したときに、当該左右方向制動操作レバー６８０のスライド操作に連動して左右方向にスライドする左右方向スライドプレート８１０と、Ｘテーブル１２０（図１参照。）に対して押圧力を与えることが可能なＸテーブル用ブレーキシュー８２０と、当該Ｘテーブル用ブレーキシュー８２０を前後方向（矢印ｙ−ｙ’方向）にスライドさせるためのＸテーブル用ブレーキシュー駆動プレート８３０（以下、ブレーキシュー駆動プレート８３０と略記する場合もある。）と、左右方向スライドプレート８１０とブレーキシュー駆動プレート８３０との間に介在され、左右方向スライドプレート８１０の左右方向のスライド動作を、ブレーキシュー駆動プレート８３０の前後方向のスライド動作に変換するＸテーブル用ギヤ輪列８４０とを有している。
【００８１】
Ｘテーブル用ギヤ輪列８４０は、左右方向スライドプレート８１０の左右方向（矢印ｘ−ｘ’方向）のスライドとともに左右方向にスライドする第１ラックギヤ８４１と、当該第１ラックギヤ８４１に歯合して第１ラックギヤ８４１のスライドによって回転するピニオンギヤ８４２と、当該ピニオンギヤ８４２の回転に連動して回転するウオームギヤ８４３及びウオームホイールギヤ８４４と、ウオームホイールギヤ８４４の回転に連動して回転する伝達ギヤ８４５と、伝達ギヤ８４５の回転に連動してＹ軸に沿った前方又は後方にスライドする第２ラックギヤ８４６とを有している。なお、第１ラックギヤ８４１は左右方向スライドプレート８１０に固定され、第２ラックギヤ８４６はブレーキシュー駆動プレート８３０に固定されている。
【００８２】
Ｘテーブル用ブレーキシュー８２０は、実施形態に係る拡大読書器１０においては、Ｘテーブル１２０に固定されているスライダー１２１に対して押圧力を与えることが可能となるように、スライダー１２１に対して、接触／非接触可能に設けられている。なお、スライダー１２１は、Ｙテーブル（図示せず。）上に敷設されているＸレール１３０に沿って左右方向にスライドし、スライダー１２１の左右方向のスライドとともにＸテーブル１２０も左右方向にスライドする。
【００８３】
また、Ｘテーブル１２０に対する制動力の大きさは、Ｘテーブル用ブレーキシュー８２０のＸテーブル１２０（スライダー１２１）に対する押圧力の大きさによって制御され、Ｘテーブル用ブレーキシュー８２０のＸテーブル１２０（スライダー１２１）に対する押圧力の大きさは、左右方向制動操作レバー６８０の左方向のスライド量によって制御される。
【００８４】
すなわち、使用者が左右方向制動操作レバー６８０を左方向にスライドさせると、そのスライド量に応じた制動力がＸテーブル１２０に働き、左右方向制動操作レバー６８０を左方向にスライドさせるほど強い制動力がＸテーブル１２０に働く。具体的には、左右方向制動操作レバー６８０が最も右側に位置しているときには、Ｘテーブルには、制動力が付与されない。このため、Ｘテーブル１２０は制動力が付与されない状態で自由に左右方向に移動させることができる。
【００８５】
そして、左右方向制動操作レバー６８０を左方向に徐々にスライドさせて行くと、Ｘテーブル１２０には、左右方向制動操作レバー６８０のスライド量に応じた制動力が付与されて行き、Ｘテーブル１２０は徐々に移動させづらくなって行く。そして、左右方向制動操作レバー６８０をさらに左方向にスライドさせて行くと、強い制動力がＸテーブル１２０に付与され、Ｘテーブル１２０は移動が阻止された状態（ロック状態）となる。
【００８６】
このように、Ｘテーブル制動機構８００がＸテーブル１２０に対して制動力を付与しない制動力の大きさを制動力ゼロとし、Ｘテーブル１２０の移動を阻止することができる制動力の大きさを最大制動力としたとき、Ｘテーブル制動機構８００は、Ｘテーブル１２０に対して、制動力ゼロから最大制動力までの間で制動力を連続的に変化させることができる。これにより、制動力の微調整も可能となり、任意の制動力を付与した状態で可動テーブル１００を移動させることができ、可動テーブル１００の操作がし易くなる。
【００８７】
なお、図６は左右方向制動操作レバー６８０を最も左側にスライドさせた状態であり、Ｘテーブル１２０に対して最大制動力が付与されている状態である。この状態においては、Ｘテーブル用ブレーキシュー８２０はＸテーブル１２０（スライダー１２１）に対して強い押圧力で押圧しており、Ｘテーブル１２０はロック状態である。
【００８８】
なお、左右方向制動操作レバー６８０を左方向にスライドさせたときには、当該左右方向制動操作レバー６８０をスライドさせた位置でそのときの制動力が保持される。これは、Ｘテーブル用ギヤ輪列８４０にウオームギヤ８４３が介在されているためである。すなわち、Ｘテーブル用ブレーキシュー８２０がスライダー１２１を矢印ｘ方向に押圧しているときに、当該Ｘテーブル用ブレーキシュー８２０の押圧力に対する反発力がＸテーブル用ブレーキシュー８２０に加わって、当該Ｘテーブル用ブレーキシュー８２０が押圧力を解除しようとする方向（矢印ｙ’方向）に戻ろうとしても、ウオームギヤ８４３の存在によりＸテーブル用ギヤ輪列８４０が逆転しないからである。
【００８９】
このように、左右方向制動操作レバー６８０を左方向にスライドさせた位置でそのときのブレーキ力が保持されることにより、Ｘテーブル１２０に所定の制動力を与えた状態で当該Ｘテーブル１２０を左右方向に移動させることができる。
【００９０】
図６においては、Ｘテーブル制動機構８００について説明したが、Ｙテーブル制動機構（図示せず。）もほぼ同様の構造とすることができる。すなわち、Ｙテーブル制動機構は、図示は省略するが、前後方向制動操作レバー６９０（図４参照。）のスライド操作に連動して前後方向にスライドする前後方向スライドプレート（図６における左右方向スライドプレート８１０に相当する。）と、Ｙテーブルの前後方向の往復移動に直交する左右方向の押圧力を前記Ｙテーブルに与えるためのＹテーブル用ブレーキシュー（図６におけるＸテーブル用ブレーキシュー８２０に相当する。）と、当該Ｙテーブル用ブレーキシューが先端に取りつけられ、Ｙテーブルの前後方向の往復移動に直交する左右方向にスライド可能なＹテーブル用ブレーキシュー駆動プレート（図６におけるＸテーブル用ブレーキシュー駆動プレート８３０に相当する。）と、前後方向スライドプレートとＹテーブル用ブレーキシュー駆動プレートとの間に介在され、前後方向スライドプレートが前後方向にスライドする動作を、Ｙテーブル用ブレーキシュー駆動プレートが左右方向にスライドする動作に変換するＹテーブル用ギヤ輪列（図６におけるＸテーブル用ギヤ輪列８４０に相当する。）と、を有している。
【００９１】
ただし、Ｙテーブル制動機構においては、前後方向制動操作レバー６９０が操作パネル６００に設けられ、当該操作パネル６００はＸテーブル１２０の移動とともに移動する構成となっている。このため、Ｙテーブル制動機構においては、前後方向制動操作レバー６９０と、前後方向スライドプレート（図６における左右方向スライドプレート８１０に相当する。）との間に、前後方向制動操作レバー６９０を前後方向に操作させたときの動力を前後方向スライドプレート（図６における左右方向スライドプレート８１０に相当する。）に伝達するための動力伝達機構が設けられている。動力伝達機構は、図示は省略するが、第１伝達板と、当該第１伝達板に連結されている第２伝達板とを有している。
【００９２】
第１伝達板は、前後方向制動操作レバー６９０に連結されている。そして、Ｘテーブル１２０とともに左右方向（ｘ軸に沿った方向）に移動し、前後方向制動操作レバー６９０が前後方向（ｙ軸に沿った方向）に操作されると、前後方向に移動するようになっている。
【００９３】
一方、第２伝達板は、第１伝達板が左右方向（ｘ軸に沿った方向）に移動したときには当該第１伝達板の移動に対応する動力は伝達されずに動作せず、第１伝達板が前後方向（ｙ軸に沿った方向）の移動したときには当該第１伝達板の移動に対応する動力が伝達されて第１伝達板とともに前後方向（ｙ軸に沿った方向）に移動する。この第２伝達板は前後方向スライドプレート（図６における左右方向スライドプレート８１０に相当する。）に連結されており、第２伝達板が前後方向に移動すると、前後方向スライドプレート（図６における左右方向スライドプレート８１０に相当する。）も前後方向に移動する。これによって、Ｙテーブル用ギヤ輪列（図６におけるＸテーブル用ギヤ輪列８４０に相当する。）が動作して、Ｙテーブルに制動力が与えられる。
【００９４】
Ｙテーブル制動機構がこのような構造を有することにより、使用者が前後方向制動操作レバー６９０を前後方向にスライドさせると、そのスライド量に応じた制動力がＹテーブルに働き、前後方向制動操作レバー６９０を後方側（奥側に）にスライドさせるほど強い制動力がＹテーブルに働く。具体的には、前後方向制動操作レバー６９０が最も前方側（手前側）に位置しているときには、Ｙテーブルには、制動力が付与されない。このため、Ｙテーブルは制動力が付与されない状態で自由に前後方向に移動させることができる。
【００９５】
そして、前後方向制動操作レバー６９０を後方側に徐々にスライドさせて行くと、Ｙテーブルには、前後方向制動操作レバー６９０のスライド量に応じた制動力が付与されて行き、Ｙテーブルは徐々に移動させづらくなって行く。そして、前後方向制動操作レバー６９０をさらに後方側にスライドさせて行くと、強い制動力がＹテーブルに付与され、Ｙテーブルは移動が阻止された状態（ロック状態）となる。
【００９６】
なお、前後方向制動操作レバー６９０を後方側にスライドさせたときには、Ｘテーブル制動機構と同様に、当該前後方向制動操作レバー６９０をスライドさせた位置でそのときの制動力が保持される。このように、前後方向制動操作レバー６９０を前後方向にスライドさせた位置でそのときの制動力が保持されることにより、Ｙテーブルに所定の制動力を与えた状態で当該Ｙテーブル１２０を左右方向に移動させることができる。
【００９７】
可動テーブル１００を構成するＸテーブル１２０及びＹテーブル（図示せず。）のうちのＸテーブル１２０が上記したようなＸテーブル制動機構を有するとともに、可動テーブル１００を構成するＸテーブル１２０及びＹテーブルのうちのＹテーブルが上記したようなＹテーブル制動機構を有することにより、可動テーブル１００を左右方向及び前後方向に移動させる際に、所定の制動力を与えた状態で移動させることができる。  
【００９８】
また、実施形態に係る拡大読書器１０においては、詳細な説明及び図示は省略するが、音声ガイダンス機能を有している。この音声ガイダンス機能は、使用者が操作パネル６００において操作した操作内容に対応する音声ガイダンスを行うもので、例えば、使用者がカメラ３００の倍率を変更した場合には、「倍率は２倍です」というように、操作内容に対応する音声を発する。また、音声ガイダンスを行う際の音量調整が可能であり、当該音量調整は操作パネル６００の機能設定ボタンにより可能となっている。
【００９９】
次に、上記のように構成された実施形態に係る拡大読書器１０の使用方法について説明する。
図７は、実施形態に係る拡大読書器１０の使用方法について説明するために示す図である。ここでは、図７に示すように、実施形態に係る拡大読書器１０を例えば机２０に置いた状態で使用するものとする。まず、背面パネル７００の主電源スイッチ７１０をオンにする。その状態で操作パネル６００の電源ボタン６１０を押す。これにより、ディスプレイ４００の内部に設けられているバックライト（図示せず。）が点灯する。
【０１００】
そして、使用者３０が椅子４０に座ったときに、ディスプレイ４００が当該使用者３０にとって見易い位置となるように、ディスプレイ４００の高さ調整を行うとともに、ディスプレイ４００の傾き調整を行う。ディスプレイ４００の高さ調整は、使用者３０がディスプレイ４００の例えば左右両端部を持って上方向又は下方向に昇降させる。なお、必要に応じて、椅子の高さも適宜調整する。
【０１０１】
このとき、ディスプレイ４００は、可動アーム５２１，５２２の前方側端部に回転自在に軸支され、可動アーム５２１，５２２の後端側端部は、アッパーフレーム部５１２に回転自在に軸支されているため、ディスプレイ４００を直立のまま上下動させることができる。
【０１０２】
そして、ディスプレイ４００の高さ調整を行ったら、ディスプレイ４００の傾き調整を行う。ディスプレイ４００の傾き調整は、ディスプレイ４００を後方側又は前方側に傾けることにより行う。また、傾き調整した後においても、傾き調整した状態のままでさらに高さの調整を行うことが可能である。ディスプレイ４００は高さ調整及び傾き調整を行ったあとに手を離すと、高さ調整を行った高さ及び傾き調整を行った傾きが保持される。なお、机２０の上に置いたディスプレイ４００を使用者が椅子に座って使用する場合には、ディスプレイ４００は使用者の目線がやや斜め下方となるように傾き調整することが好ましい。
【０１０３】
図８は、ディスプレイ４００が使用者の目線がやや斜め下方となるように傾きを調整した場合を示す図である。ディスプレイ４００を後方側に傾けることにより、図８に示すように、使用者の目線がやや斜め下方となるようにディスプレイ４００の傾きを調整することができる。
【０１０４】
なお、ディスプレイ４００を後方側に傾けると、ディスプレイ４００の下端辺４００ｂは前方側（使用者の側）に迫り出すこととなるが、実施形態に係る拡大読書器１０においては、ディスプレイ４００の回転支点が、下端辺４００ｂからＨ／４程度の位置であるため、ディスプレイ４００の下端辺４００ｂの前方側迫り出す量を少なくすることができる。これにより、ディスプレイ４００の下端辺４００ｂが前方（使用者側）に迫り出すことによる圧迫感を使用者に与えることがなくなる。
【０１０５】
このように、実施形態１に係る拡大読書器１０の高さ調整及び傾き調整がなされたら、表示対象物（この場合、書物とする。）を載せる。このとき、ディスプレイ４００に表示された画像をみながら、操作パネル６００で必要に応じて各種の設定を行う。
【０１０６】
例えば、倍率設定用スライドレバー６５０の操作により、カメラ３００の倍率を適宜設定したり、フォーカスロック／解除ボタン６６０の操作により、フォーカスロックとオートフォーカスとの切り替えを行ったり、明るさ調整ボタン６７０の操作により、ディスプレイ４００の画面の明るさの調整を行ったり、機能設定ボタン６２０，６３０によって、白黒表示／白黒反転表示／黄色黒表示／黄色黒反転表示／フルカラー表示のうちのいずれかを選択したり、音声ガイダンスを行う際の音量調整を行ったりする。
【０１０７】
また、機能設定ボタン６２０，６３０によって、ディスプレイ４００の画面にラインを表示したり、画面の所定の領域をマスクしたりすることもできる。このように、ディスプレイ４００の画面にラインを表示することにより、読むべき行が分かり易くなる。また、ディスプレイ４００の画面の所定の領域をマスしたりすることにより、読むべき領域に注目することができる効果が得られるとともに、ディスプレイ４００の画面の眩しさを軽減することができる効果も得られる。
【０１０８】
上記した各機を実行させるには、操作パネルに設けられている機能設定ボタン６２０，６３０を操作することによって行う。機能設定ボタン６２０，６３０は、それぞれにおいて、中央部に位置する押しボタンと、当該押しボタンを囲むように設けられている回転ボタンとを有し、例えば、押しボタンによって上記各機能の切り替えを行い、回転ボタンによって、押しボタンによって切り替えられた機能において各種の設定を行うことができる。
【０１０９】
また、支柱フレーム部５１０の裏側に設けられている背面パネル７００のコントラスト調整えスイッチ７７０によって、コントラストを高コントラストと低コントラストに切り替えることもできる。これにより、状況に応じて、高コントラスト又は低コントラストのいずれかを選択できる。例えば、高コントラストとすると、文字はくっきりと表示されるが、低倍率とした場合に文字潰れとなる場合があるため、低倍率の場合には、低コントラストにし、高倍率の場合には高コントラストにするといった使い方ができる。
【０１１０】
このようにして、各種の設定を行ったら、可動テーブル１００を左右方向又は前後方向に移動しながらディスプレイ４００に拡大表示されている文字などを読んで行く。このとき、使用者は視点を動かさずに、可動テーブル１００をゆっくり移動させながら文字を読むことが好ましい。
【０１１１】
可動テーブル１００の操作は、可動テーブル操作部６４０Ｌ，６４０Ｒによって行う。可動テーブル操作部６４０Ｌ，６４０Ｒは、操作パネル６００の上面における左右両端付近に凹部として設けられている。これら可動テーブル操作部６４０Ｌ，６４０Ｒは、いずれか一方の操作部を使用することにより、可動テーブル１００を左右方向及び前後方向に移動させることができ、また、可動テーブル操作部６４０Ｌ，６４０Ｒ両方を同時に同方向に操作することによっても、可動テーブル１００を左右方向及び前後方向に移動させることができる。
【０１１２】
可動テーブル１００を移動させる際は、可動テーブル１００のロックを解除した状態で操作すると、可動テーブル１００のコントロールがしにくいため、所定の制動力を付与した状態、すなわち、可動テーブル１００を左右方向及び前後方向に移動させる際に、所定の制動力を与えた状態で移動させると可動テーブル１００のコントロールがし易くなる。
【０１１３】
例えば、書物に記載されている文章が横書きである場合には、可動テーブル１００に対する前後方向の制動力を左右方向の制動力よりも強めに設定することが好ましい。このようにすると、可動テーブル１００が前後方向にずれにくくなり、横書きの文章が読みやすくなる。
【０１１４】
具体的には、Ｙテーブル制動機構によるＹテーブルに対する制動力をＸテーブル制動機構によるＸテーブルに対する制動力よりも強めに設定すると、横書きの各行の文書に沿って移動しやすくなり、また、次の行に移る際（行替えを行う際）に、可動テーブル１００を移動し過ぎたりすることなく行替えを行い易くすることができる。
【０１１５】
一方、書物に記載されている文章が縦書きである場合には、可動テーブル１００に対する左右方向の制動力を前後方向の制動力よりも強めに設定することが好ましい。このようにすると、可動テーブル１００が左右後方向にずれにくくなり、縦書きの文章が読みやすくなる。
【０１１６】
具体的には、Ｘテーブル制動機構によるＸテーブルに対する制動力をＹテーブル制動機構によるＹテーブルに対する制動力よりも強めに設定すると、縦書きの各行の文書に沿って移動しやすくなり、また、次の行に移る際（行替えを行う際）に、可動テーブル１００を移動し過ぎたりすることなく行替えを行いやすくすることができる。
【０１１７】
このようなＸテーブル制動機構によるＸテーブルの制動力の調整及びＹテーブル制動機構によるＹテーブルの制動力の調整は、操作パネル６００の前方側垂直端面に設けられている左右方向制動操作レバー６８０又は操作パネル６００の左側垂直端面に設けられている前後方向制動操作レバー６９０をそれぞれスライドさせることによって行う。
【０１１８】
このように、実施形態に係る拡大読書器１０においては、Ｘテーブル制動機構によるＸテーブルの制動力の調整及びＹテーブル制動機構によるＹＸテーブルの制動力の調整は、操作パネル６００の前面側垂直端面に設けられている左右方向制動操作レバー６８０又は操作パネル６００の左側垂直端面に設けられている前後方向制動操作レバー６９０によって行うものであるため、摘みを指で摘んで回転させるものに比べて操作がし易いとともに、各操作レバーの位置により操作レバーの操作量がわかり易いため、制動力の付与加減が直観的にわかり易いものとなる。
【０１１９】
また、これら左右方向制動操作レバー６８０及び前後方向制動操作レバー６９０は、操作パネル６００の前面側垂直端面及び左側垂直端面にそれぞれ設けられており、かつ、可動テーブル１００とともに移動する構成となっている。このため、可動テーブル１００を移動させたときに、これら左右方向制動操作レバー６８０及び前後方向制動操作レバー６９０が可動テーブル１００の下に隠れて使用者から見えなくなってしまうといったことがなくなる。
ちなみに、前記した従来の拡大読書器９００（図１０参照。）においては、Ｙテーブル用制動摘み９１５は、Ｙテーブル９１２の右側垂直端面に設けられているため、Ｘテーブル９１４がＹテーブル９１２上で図示の右方向に移動したときに、Ｙテーブル用制動摘み９１５はＸテーブル９１４の下に隠れてしまい、操作しづらいものとなってしまうという問題が生じるが、実施形態に係る拡大読書器１０においては、このような問題は生じない。
【０１２０】
このようにして、可動テーブル１００に書物を載せた状態で可動テーブル１００を適宜操作しながらディスプレイ４００に拡大表示されている文書を読んで行く。なお、ディスプレイ４００に拡大表示されている文章を読む場合には、使用者の視点は動かさずに、可動テーブル１００を移動させながら読むようにすることが好ましい。
【０１２１】
このとき、可動テーブル１００の前方側先端部に操作パネル６００が設けられているため、操作パネル６００は可動パネル１００とともに移動する。このため、可動テーブル１００の移動に追従して操作パネル６００の各操作部を操作することができ、操作性に優れたものとなる。
【０１２２】
例えば、可動テーブル１００（Ｘテーブル１２０）上に表示対象物（例えば書物とする。）を置いたときは、使用者は手で書物を抑えた状態として当該書物を読むことが一般的である。この状態で、可動テーブル１００を移動させる場合には、使用者は手で書物を抑えながら可動テーブル１００を移動させることとなる。このような場合、使用者の手も可動テーブル１００とともに移動することとなるが、実施形態に係る拡大読書器１０においては、操作パネル６００は可動テーブル１００の前方側先端部に設けられており、操作パネル６００は可動パネル１００とともに移動するため、可動テーブル１００を移動させながら操作パネル６００の各操作部を操作することも可能となり、操作性に優れたものとなる。
【０１２３】
なお、実施形態１に係る拡大読書器１０は、書物に記載されている文章などを読むだけではなく、表示対象物（例えば用紙など）に文書などを筆記する場合にも使用することができる。
【０１２４】
図９は、実施形態１に係る拡大読書器１０を使用して表示対象物に文書などを筆記する場合を説明するために示す図である。実施形態１に係る拡大読書器１０を使用して文書などを筆記する場合も、文書などを読む場合と同様に、ディスプレイ４００の高さ及び傾きを使用者にとって適切となるように調整する。なお、この場合も、使用者の目線がやや斜め下方となるようにすることが好ましい。
【０１２５】
ディスプレイ４００の高さ及び傾きを使用者にとって適切となるように調整したら、用紙６０を可動テーブル１００上に載せて、図９に示すように、筆記用具７０を持つ手３１をディスプレイ４００の下端辺４００ｂの下方から差し入れて可動テーブル１００上に載っている用紙６０上に筆記を行う。
【０１２６】
例えば、用紙６０上において左から右への横書きの筆記を行う場合には、１文字を筆記したら可動テーブル１００を左方向にずらして次の１文字を筆記するという動作を繰り返し、横書き１行分の筆記が終了したら、可動テーブル１００を後方（奥側）にずらして次の行の筆記を開始する。なお、可動テーブル１００の左右方向への移動は１文字ごとではなく、複数文字分ごとに行ってもよい。
【０１２７】
また、筆記を行う場合における可動テーブル１００の操作は、筆記する手とは異なる手で可動テーブル操作部６４０Ｌ，６４０Ｒのいずれかを操作することによって行う。例えば、右利きの使用者の場合においては、左手で可動テーブル操作部６４０Ｌを操作して、可動テーブル１００を左右方向又は前後方向に移動させる。
【０１２８】
このような横書きの筆記を行う場合も、横書きの文章を読む場合と同様に、可動テーブル１００に対する前後方向の制動力を左右方向の制動力よりも強めに設定することが好ましい。このようにすると、可動テーブル１００が前後方向にずれにくくなり、文書を用紙６０に横書きする際に、文字が用紙６０上で上下方向にずれにくく直線上に文字が並び易くなる。また、行替えを行う際に、可動テーブル１００を移動し過ぎたりすることなく、行替えを行い易くすることができる。
【０１２９】
一方、用紙６０上において上から下への縦書きの筆記を行う場合にも横書きとほぼ同様に行うことができる。このような縦書きの筆記を行う場合には、縦書きの文章を読む場合と同様に、可動テーブル１００に対する左右方向の制動力を前後方向の制動力よりも強めに設定することが好ましい。このようにすると、可動テーブル１００が左右方向にずれにくくなり、文書を用紙６０に縦書きする際に、文字が用紙６０上で左右方向にずれにくく直線上に文字が並び易くなる。また、行替えを行う際に、可動テーブル１００を移動し過ぎたりすることなく、行替えを行い易くすることができる。
【０１３０】
なお、筆記する場合においても、ラインを表示させる機能を使用して、ディスプレイ４００の画面上に左右方向又は上下方向のラインを表示させた状態で筆記を行うようにしてもよい。これにより、文章を筆記する際においては、ラインをガイドとして筆記すればよいため、文書が用紙６０上で直線上に並び易くなる。
【０１３１】
また、画面の所定領域をマスクする機能を用いて、筆記する領域以外の領域をマスクした状態で筆記するようにしてもよい。このようにすることにより、筆記する文章や文字に注目しながら筆記することができる効果が得られるとともに、ディスプレイ４００の画面の眩しさを軽減することができる効果も得られる。
【０１３２】
また、ラインを表示する機構及びマスクする機能以外にも、書物を読む場合と同様に、カメラ３００の倍率、フォーカスロックとオートフォーカスとの切り替え、ディスプレイ４００の画面の明るさなど各種の設定を行うことができる。
【０１３３】
ところで、このような横書き又は縦書きのいずれの筆記を行う際においては、筆記用具７０を持つ手３１は、ディスプレイ４００の下方から差し入れて可動テーブル１００上に置くこととなるが、実施形態に係る拡大読書器１０においては、カメラ３００の光軸（ｙ軸に沿った光軸）の位置Ｐｙは、上記したように、可動テーブル１００が初期位置（図１及び図２に示す位置）に存在する場合で考えた場合には、可動テーブル１００の前方側端部ｅ１（図１及び図２参照。）に近い位置となるように設定されている。また、ディスプレイ４００は、下端辺４００ｂに近い位置（下端辺４００ｂからＨ／４程度の位置）が回転支点となっているため、ディスプレイ４００を後方側に傾けた場合であっても、ディスプレイ４００の下端辺４００ｂが前方（使用者の側）に大きく迫り出すことがなくなる。
【０１３４】
このため、実施形態に係る拡大読書器１０を使用して文字などを筆記する場合、筆記用具７０を持つ手３１をディスプレイ４００の下端辺４００ｂから奥の方まで伸ばすというような無理な姿勢をとることなく、机の上で用紙に筆記するときとほぼ同様の自然な姿勢で筆記することができる。
【０１３５】
なお、本考案は上述の実施形態に限られるものではなく、本考案の要旨を逸脱しない範囲で種々変形実施可能となるものである。たとえば、下記に示すような変形実施も可能である。
【０１３６】
（１）上記実施形態においては、実施形態に係る拡大読書器１０を、書物を読んだり文字や文章などを書いたりする用途として使用する場合を例示したが、実施形態に係る拡大読書器１０は、これら以外にも様々な用途に使用することができる。例えば、絵画や写真を見たり、爪切りや縫い針に糸を通す場合のような細かい作業を行ったりする場合など、生活の様々な場面での使用が可能となる。
【０１３７】
（２）上記各実施形態においては、操作パネル６００によって設定可能な機能としては、例えば、カメラ３００の倍率、フォーカスロックとオートフォーカスとの切り替え、ディスプレイ４００の画面の明るさ、白黒表示／白黒反転表示／黄色黒表示／黄色黒反転表示／フルカラー表示のうちのいずれかの選択、音声ガイダンスを行う際の音量調整、ラインを表示する機構及びマスクする機能などを例示したが、これらは一例であって、これら以外にも様々な機能を搭載することが可能である。
【符号の説明】
【０１３８】
１０・・・拡大読書器、１００・・・可動テーブル、１２０・・・Ｘテーブル、１２１・・・スライダー、２００・・・ベースフレーム、３００・・・カメラ、４００・・・ディスプレイ、４１１，４１２・・・軸受け片、５００・・・支柱機構部、５１０・・・支柱フレーム部、５１１…屈曲部、５１２・・・アッパーフレーム部、５２１，５２２・・・可動アーム、５３１・・・第１軸、５３２・・・第２軸、５４０・・・機器収納ボックス、６００・・・操作パネル、６２０，６３０・・・機能設定ボタン（操作部）、６４０Ｌ，６４０Ｒ・・・可動テーブル操作部、６８０・・・左右方向制動操作レバー、６９０・・・前後方向制動操作レバー、７００・・・背面パネル、８００・・・Ｘテーブル制動機構、８１０・・・左右方向スライドプレート、８２０・・・Ｘテーブル用ブレーキシュー、８３０・・・Ｘテーブル用ブレーキシュー駆動プレート、８４０・・・Ｘテーブル用ギヤ輪列、８４１・・・第１ラックギヤ、８４２・・・ピニオンギヤ、８４３・・・ウオームギヤ、８４４・・・ウオームホイールギヤ、８４５…伝達ギヤ、８４６・・・第２ラックギヤ
【図１】
0003195020.tif 000003
【図２】
0003195020.tif 000004
【図３】
0003195020.tif 000005
【図４】
0003195020.tif 000006
【図５】
0003195020.tif 000007
【図６】
0003195020.tif 000008
【図７】
0003195020.tif 000009
【図８】
0003195020.tif 000010
【図９】
0003195020.tif 000011
【図１０】
0003195020.tif 000012